(57)【特許請求の範囲】
【請求項１】
弾性変形自在な胴部(２)上端から起立する注出筒(３)に設けた破断線(５)を破断させることにより、該破断線(５)より上方の注出筒(３)部分を除去して胴部(２)を圧搾させることで吐出可能に設けた内容器(１)と、
該内容器(１)へ嵌合可能で、かつ該内容器より硬い材質からなる外容器(１０)を備え、
前記内容器(１)へ嵌合させた前記外容器(１０)を把持して前記注出筒(３)を破断可能に設けるとともに、
前記外容器(１０)は上面開口の周壁(１１)の前後両部に切欠部(１２)を備え、該周壁の左右両部を把持して前記注出筒(３)を破断可能に、かつ前記切欠部(１２)を介して前記内容器(１)の胴部(２)を圧搾することにより吐出可能に設け、
前記内容器(１)の左右両部に上下方向へ伸長する突条(６)を縦設して、前記外容器の周壁(１１)の左右両部を前記突条(６)へ上下動自在に嵌合させたことを特徴とする吐出容器。
【請求項２】
前記外容器(１０)を着色したことを特徴とする請求項１記載の吐出容器。
【発明の詳細な説明】
【技術分野】
【０００１】
本発明は胴部の圧搾により内容物が吐出可能な少量吐出容器に関する。
【背景技術】
【０００２】
胴部から起立するノズルの基部等を破断させることにより開封する吐出容器が従来技術として知られている。
【先行技術文献】
【特許文献】
【０００３】
【特許文献１】特開２０１０−２９５９８号公報
【発明の概要】
【発明が解決しようとする課題】
【０００４】
胴部を圧搾して液体等を吐出させる吐出容器では、開封時に胴部を把持してノズルを破断させるため、ノズルを破断させる際に内容物がノズルから飛び出るおそれがあった。
【０００５】
本発明は、上記課題を解決するためになされたもので、胴部から起立する注出筒を破断させる際に、内容物が注出筒から飛び出ることを防止可能な吐出容器を提供することを目的とする。
【課題を解決するための手段】
【０００６】
上記課題を解決するために、本発明は、弾性変形自在な胴部２上端から起立する注出筒３に設けた破断線５を破断させることにより、該破断線５より上方の注出筒３部分を除去して胴部２を圧搾させることで吐出可能に設けた内容器１と、
該内容器１へ嵌合可能で、かつ該内容器より硬い材質からなる外容器１０を備え、
前記内容器１へ嵌合させた前記外容器１０を把持して前記注出筒３を破断可能に設けるとともに、
前記外容器１０は上面開口の周壁１１の前後両部に切欠部１２を備え、該周壁の左右両部を把持して前記注出筒３を破断可能に、かつ前記切欠部１２を介して前記内容器１の胴部２を圧搾することにより吐出可能に設け、
前記内容器１の左右両部に上下方向へ伸長する突条６を縦設して、前記外容器の周壁１１の左右両部を前記突条６へ上下動自在に嵌合させた。
【００１３】
さらに、本発明は、前記外容器を着色したことを特徴とする。
【発明の効果】
【００１４】
本発明は、内容器より硬い材質からなる外容器を備え、内容器へ嵌合させた外容器を把持して注出筒を破断可能に設けたので、開封時、注出筒を破断させる際に、内容器の胴部が圧搾され難く、したがって、開封時に内容物が吐出することを防止することができる。
【００１６】
さらに、本発明は、外容器を着色したので、外観の向上を図ることができる。
【図面の簡単な説明】
【００１７】
【図１】本発明に係る吐出容器の分解斜視図である。
【図２】本発明に係る吐出容器の斜視図である。
【図３】本発明の吐出容器の参考例の斜視図である。
【図４】同参考例の外容器の開状態を示す斜視図である。
【図５】同参考例の内容器の斜視図である。
【図６】同参考例の弾性爪と凹部との係合状態を示す断面図である。
【図７】本発明の吐出容器の他の参考例の斜視図である。
【図８】図７の分解斜視図である。
【発明を実施するための形態】
【００１８】
以下、本発明の実施の形態について、図面を参照しながら詳細に説明する。
【００１９】
本発明に係る吐出容器は、内容器と外容器とから構成される。以下、これらについて順次説明する。
【００２０】
図１および図２に示すように、内容器１は弾性変形自在な胴部２の上端から肩部を介して注出筒３を起立して、該注出筒３の上端を溶着することにより摘み部４に形成すると共に、注出筒３の上下方向中間部に破断線５を形成し、さらに胴部２の左右両側に上下方向への突条６を縦設している。
【００２１】
内容器１内への内容物の充填は、胴部２下面から垂下した充填筒７を介して行う。充填後は充填筒７下端を溶着により閉塞させて閉塞部８に形成する。
【００２２】
外容器１０は内容器１より硬い材質で形成されていて、内容器１の胴部２へ嵌合させた上面開口の周壁１１の前後両部に切欠部１２を形成すると共に、周壁１１の左右両側を内容器１の突条６へ上下動自在に嵌合させる。その際、切欠部１２の下面は内容器１の胴部２下面へ当接させることも可能である。外容器１０は開封時における内容物の吐出防止の役割だけではなく、着色することで外観性の向上をはかることができる。
【００２３】
次に作用について説明する。
内容器１を開封するには、内容器１へ嵌合させた外容器１０の左右両部を把持して摘み部４を捩ればよい。すると破断線５が破断して、破断線５より上方の注出筒３部分が除去されることで開封する。外容器１０は内容器１より硬い材質で形成されているから、注出筒３を破断させる際に、外容器１０の左右両部を把持しても内容器の胴部２が圧搾されることがなく、したがって、開封時に、内容物が注出筒３を介して吐出することがない。すなわち、外容器１０の硬さは開封時に、内容器１の胴部２が圧搾されて内容物が容易に吐出しない程度であればよい。
【００２４】
注出筒３から内容物を吐出させるには、切欠部１２を介して内容器１の胴部２を圧搾すればよい。
【００２５】
図３ないし図６は本発明の参考例を示す。内容器１は胴部２の前面に円形状の突部２ａを形成しており、その他の点は図１に示す充填筒７および閉塞部８を除いて第１の実施形態と同一であるから説明を省略する。外容器２０は内容器１の胴部２へ嵌合させた有頂かつ有底の周壁２１を前後に二分割した前後一対の分割体２２ａ、２２ｂからなり、該分割体の一方に内容器１の突部２ａへ嵌合させる窓部２３を形成すると共に、周壁２１の頂壁に透孔２４を形成して内容器１の注出筒３を挿通させ、さらに周壁２１の底壁にヒンジ２５を設けて一対の分割体が前後方向へ開閉可能に設けている。なお、窓部２３は分割体の一方のみならず双方に設けてもよく、この場合には内容器の突部２ａも前後一対設ける。
【００２６】
一方の分割体の頂壁の左右両部の内方に起立板２６を起立させ、かつ該起立板の先端部を屈曲して弾性爪２７を形成すると共に、他方の分割体の頂壁に凹部(図示せず)
を設けて、該凹部へ弾性爪２７を係合させることにより一対の分割体が前後に開かないように固定して内容器の胴部２へ外容器２０を嵌合させる。
【００２７】
内容器１を開封するには、内容器１へ嵌合させた外容器２０の左右両部を把持して摘み部４を捩ればよい。注出筒３から内容物を吐出させるには、窓部２３を介して内容器１の突部２ａを圧搾すればよい。
【００２８】
図７および図８は、本発明の他の参考例を示す。内容器１は前記実施形態と同一であるから説明を省略する。外容器３０は上面開口の弾性周壁３１を内容器の胴部２へ嵌合させている。弾性周壁３１の横断面形状は偏平状の六角形状で前後両面の下端部を内方向へ傾斜させて傾斜部３２に形成している。
【００２９】
内容器１を開封するには、内容器１へ嵌合させた外容器３０の左右両部を把持して摘み部４を捩ればよい。注出筒３から内容物を吐出させるには、外容器の押圧壁としての前後両面を圧搾して内容器１の胴部２を押圧すればよい。上記のように外容器３０には傾斜部３２が設けられているから、外容器３０の前後両面を圧搾すると、傾斜部３２が内容器１の下部を押圧するため、残量を減少させることができる。また、外容器３０の弾性周壁３１は横断面六角形状であるから、弾性周壁３１の前後両面を圧搾すると、弾性周壁３１の左右の角部が内方へ容易に屈曲するため、吐出時における外容器３０の圧搾が容易である。
【００３０】
なお、内容器１は図面に示すものに限らず、小型のブロー容器でも、あるいはチューブ容器でもよい。また、上記では注出筒３は破断線５を設けて、該破断線を捩りにより破断させるようにしているが、これに限らず注出筒３の注出口をアルミ等のフィルムで閉塞したものを用い、吐出時には外容器を把持してシートを剥すようにしてもよい。さらに、外容器１０、２０、３０は内容器１の使い捨て後、新品の内容器に使用することができる。
【産業上の利用可能性】
【００３１】
本発明は、胴部の圧搾により内容物が吐出可能な少量吐出容器の分野に利用することができる。
【符号の説明】
【００３２】
１  内容器
２  胴部
３  注出筒
５  破断線
６  突条
１０  外容器
１１  周壁
１２  切欠部
２０  外容器
２２ａ、２２ｂ  分割体
２３  窓部
２４  透孔
２５  ヒンジ
２７  弾性爪
３０  外容器
３１  弾性周壁
３２  傾斜部
【図１】
0005459789.tif 000002
【図２】
0005459789.tif 000003
【図３】
0005459789.tif 000004
【図４】
0005459789.tif 000005
【図５】
0005459789.tif 000006
【図６】
0005459789.tif 000007
【図７】
0005459789.tif 000008
【図８】
0005459789.tif 000009